(57)【要約】      （修正有）【課題】より高い作業性を実現することができるトイレ装置を提供する。【解決手段】トイレ室の壁３１０の内部に設けられた支持体に固定される便器と、便器の上面に設けられケーシング１２１を有する衛生洗浄装置と、衛生洗浄装置の後側に着脱可能に設けられ壁から取り外し可能なパネル１３０と、を備え、衛生洗浄装置は、ケーシングの背面部を通され衛生洗浄装置に供給される電気を導く電源コード１６１を有し、電源コードは、電源コードの先端部に設けられ壁の内部に配置されるコンセントプラグ１６３を有し、壁の内部に設けられたコンセント３５１に接続されるコンセントプラグは、便器および衛生洗浄装置を壁に投影した投影領域の外側に設けられる。【選択図】図２
2015031140.tif 000002
【特許請求の範囲】
【請求項１】
トイレ室の壁の内部に設けられた支持体に固定される便器と、
前記便器の上面に設けられケーシングを有する衛生洗浄装置と、
前記衛生洗浄装置の後側に着脱可能に設けられ前記壁から取り外し可能なパネルと、
を備え、
前記便器は、
前記便器の後部に設けられ前記便器のボウル面に供給する水を導く供給水路と、
前記後部に設けられ前記ボウル面から排出させる水を導く排出水路と、
を有し、
前記衛生洗浄装置は、
前記ケーシングの背面部を通され前記衛生洗浄装置に供給される水を導く給水管と、
前記背面部を通され前記衛生洗浄装置に供給される電気を導く電源コードと、
を有し、
前記給水管は、前記給水管の先端部に設けられ前記壁の内部に配置される止水栓を有し、
前記電源コードは、前記電源コードの先端部に設けられ前記壁の内部に配置されるコンセントプラグを有し、
前記壁の内部に設けられたコンセントに接続される前記コンセントプラグは、前記便器および前記衛生洗浄装置を前記壁に投影した投影領域の外側に設けられることを特徴とするトイレ装置。
【請求項２】
前記止水栓は、前記便器および前記衛生洗浄装置を前記壁に投影した投影領域の外側に設けられることを特徴とする請求項１記載のトイレ装置。
【請求項３】
前記コンセントに接続される前記コンセントプラグは、前記衛生洗浄装置を前記壁に投影した投影領域よりも上方に設けられることを特徴とする請求項１または２に記載のトイレ装置。
【請求項４】
前記コンセントに接続される前記コンセントプラグは、前記便器および前記衛生洗浄装置を前記壁に投影した投影領域よりも側方に設けられることを特徴とする請求項１または２に記載のトイレ装置。
【請求項５】
前記コンセントに接続される前記コンセントプラグは、前記止水栓よりも上方に設けられることを特徴とする請求項１〜４に記載のトイレ装置。
【請求項６】
前記支持体と、
前記壁の内部において前記支持体に固定され前記供給水路に水を供給するタンクと、
をさらに備え、
電源供給部としての前記コンセントは、前記支持体に固定されることを特徴とする請求項１〜５のいずれか１つに記載のトイレ装置。
【発明の詳細な説明】
【技術分野】
【０００１】
本発明の態様は、一般的に、トイレ装置に関する。
【背景技術】
【０００２】
例えば、アンダーシャワーが便器本体の後部に設けられた水洗便所がある（特許文献１）。特許文献１に記載された水洗便所は、壁面に取り付け可能とされている。アンダーシャワーへの給水・電気接続用の連結箇所は、水洗便所の背面側に配置されている。そのため、アンダーシャワーへの給水・電気接続用の連結箇所は、例えば壁の背後に設けられた場合には外部から見えない。これにより、特許文献１に記載された水洗便所は、優れた意匠性を有する。
【０００３】
しかし、特許文献１に記載された水洗便所では、アンダーシャワーへの給水・電気接続用の連結箇所が水洗便所の背面側に配置されているため、例えば使用者が省エネルギー化のためにアンダーシャワーへの電気接続用の連結箇所を解除するときの作業性が悪いという問題がある。あるいは、例えば作業者がアンダーシャワーなどのメンテナンスのためにアンダーシャワーへの電気接続用の連結箇所を解除するときの作業性が悪いという問題がある。
【先行技術文献】
【特許文献】
【０００４】
【特許文献１】欧州特許第１３１７５８６号明細書
【発明の概要】
【発明が解決しようとする課題】
【０００５】
本発明は、かかる課題の認識に基づいてなされたものであり、より高い作業性を実現することができるトイレ装置を提供することを目的とする。
【課題を解決するための手段】
【０００６】
第１の発明は、トイレ室の壁の内部に設けられた支持体に固定される便器と、前記便器の上面に設けられケーシングを有する衛生洗浄装置と、前記衛生洗浄装置の後側に着脱可能に設けられ前記壁から取り外し可能なパネルと、を備え、前記便器は、前記便器の後部に設けられ前記便器のボウル面に供給する水を導く供給水路と、前記後部に設けられ前記ボウル面から排出させる水を導く排出水路と、を有し、前記衛生洗浄装置は、前記ケーシングの背面部を通され前記衛生洗浄装置に供給される水を導く給水管と、前記背面部を通され前記衛生洗浄装置に供給される電気を導く電源コードと、を有し、前記給水管は、前記給水管の先端部に設けられ前記壁の内部に配置される止水栓を有し、前記電源コードは、前記電源コードの先端部に設けられ前記壁の内部に配置されるコンセントプラグを有し、前記壁の内部に設けられたコンセントに接続される前記コンセントプラグは、前記便器および前記衛生洗浄装置を前記壁に投影した投影領域の外側に設けられることを特徴とするトイレ装置である。
【０００７】
このトイレ装置によれば、トイレ室の壁の内部に設けられたコンセントに接続されるコンセントプラグは、便器および衛生洗浄装置を壁に投影した投影領域の外側に設けられる。そのため、例えば使用者などが衛生洗浄装置への電力の供給を止めたい場合や、例えば作業者がメンテナンス作業を行う場合に、便器および衛生洗浄装置が作業の邪魔となることを抑えることができる。そのため、使用者および作業者などは、円滑に作業を行うことができる。つまり、このトイレ装置は、より高い作業性を実現することができる。また、給水管および電源コードが外部からほとんど見えないため、より優れた意匠性を有するトイレ装置を提供することができる。
【０００８】
第２の発明は、第１の発明において、前記止水栓は、前記便器および前記衛生洗浄装置を前記壁に投影した投影領域の外側に設けられることを特徴とするトイレ装置である。
【０００９】
このトイレ装置によれば、例えば作業者がメンテナンス作業を行う場合において、衛生洗浄装置への給水を止める場合に、便器および衛生洗浄装置が作業の邪魔となることを抑えることができる。そのため、作業者などは、円滑に作業を行うことができる。
【００１０】
第３の発明は、第１または２の発明において、前記コンセントに接続される前記コンセントプラグは、前記衛生洗浄装置を前記壁に投影した投影領域よりも上方に設けられることを特徴とするトイレ装置である。
【００１１】
このトイレ装置によれば、使用者などは、立ったままで作業を行いやすい。また、物がパネルの前に置かれることはほとんどないため、使用者などは、円滑に作業を行うことができる。
【００１２】
第４の発明は、第１または２の発明において、前記コンセントに接続される前記コンセントプラグは、前記便器および前記衛生洗浄装置を前記壁に投影した投影領域よりも側方に設けられることを特徴とするトイレ装置である。
【００１３】
このトイレ装置によれば、例えば、供給水路や排出水路や給水管の不具合により漏水が発生したとしても、コンセントが投影領域よりも側方に設けられているので、漏水した水がコンセントプラグにかかる可能性が低くなる。そのため、電気系統がショートすることを抑えることができる。
【００１４】
第５の発明は、第１〜４のいずれか１つの発明において、前記コンセントに接続される前記コンセントプラグは、前記止水栓よりも上方に設けられることを特徴とするトイレ装置である。
【００１５】
このトイレ装置によれば、例えば止水栓の不具合等により漏水が発生しても、漏水した水がコンセントプラグにかかることはほとんどない。そのため、電気系統がショートすることを抑えることができる。
【００１６】
第６の発明は、第１〜５のいずれか１つの発明において、前記支持体と、前記壁の内部において前記支持体に固定され前記供給水路に水を供給するタンクと、をさらに備え、電源供給部としての前記コンセントは、前記支持体に固定されることを特徴とするトイレ装置である。
【００１７】
このトイレ装置によれば、コンセントは、壁の内部に設けられた支持体に固定される。そのため、壁の内部にコンセントを保持する部材を設ける必要がない。そのため、大掛かりな作業を必要とせずに、トイレ装置を設置することができる。
【発明の効果】
【００１８】
本発明の態様によれば、より高い作業性を実現することができるトイレ装置が提供される。
【図面の簡単な説明】
【００１９】
【図１】本発明の実施の形態にかかるトイレ装置を表す模式図である。
【図２】本実施形態にかかるトイレ装置を表す模式図である。
【図３】本実施形態のパネルの近傍を表す模式的斜視図である。
【図４】本実施形態の壁の内部を表す模式図である。
【図５】本実施形態の便器の取付構造を説明する模式図である。
【図６】本実施形態のパネルの近傍を眺めた模式的斜視図である。
【図７】本実施形態のパネルの切り欠きを表す模式的斜視図である。
【図８】本実施形態の支持体の具体例を例示する模式的平面図である。
【図９】本実施形態のコンセントプラグの他の配置形態を例示する模式的斜視図である。
【図１０】本配置形態における支持体の具体例を例示する模式的平面図である。
【図１１】本実施形態のコンセントプラグおよび止水栓の操作方法の一例を例示する模式的斜視図である。
【図１２】本実施形態のコンセントプラグおよび止水栓の操作方法の一例を例示する模式的斜視図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式図である。  
図１（ａ）は、本実施形態にかかるトイレ装置を前方から眺めた模式的平面図である。図１（ｂ）は、本実施形態にかかるトイレ装置を斜め上方から眺めた模式的斜視図である。図１（ｂ）では、説明の便宜上、壁の一部を省略している。
【００２１】
本実施形態にかかるトイレ装置１０は、洋式腰掛便器（以下説明の便宜上、単に「便器」と称する）１１０と、便器１１０の上面１１１（図２（ｃ）および図３（ｂ）参照）に設けられた衛生洗浄装置１２０と、を備える。衛生洗浄装置１２０は、ケーシング１２１と、便座１２３と、便蓋１２５と、を有する。便座１２３と便蓋１２５とは、ケーシング１２１に対して開閉自在にそれぞれ軸支されている。なお、便蓋１２５は、必ずしも設けられていなくともよい。
【００２２】
便器１１０は、壁３１０の内部（便器１１０の側からみて壁３１０の背後の部分）に設けられた支持体１４０に固定されている。壁３１０は、トイレ装置１０が設けられる例えばトイレ室などに設置されている。これについては、後に詳述する。  
壁３１０は、トイレ装置１０の背面側（後側）に設置され、例えばタイルやモルタルなどを含む材料により形成されている。但し、壁３１０の材料は、これだけに限定されるわけではない。
【００２３】
なお、本願明細書においては、通常使用時に便座１２３に座った使用者からみて上方を「上方」とし、通常使用時に便座１２３に座った使用者からみて下方を「下方」とする。また、通常使用時に便座１２３に座った使用者からみて前方を「前方」とし、通常使用時に便座１２３に座った使用者からみて後方を「後方」とする。あるいは、便器１１０の方向を向いて便器１１０の前に立った使用者からみて手前側を「前方」とし、便器１１０の方向を向いて便器１１０の前に立った使用者からみて奥側を「後方」とする。また、便器１１０の方向を向いて便器１１０の前に立った使用者からみて右側を「右側方」とし、便器１１０の方向を向いて便器１１０の前に立った使用者からみて左側を「左側方」とする。
【００２４】
本実施形態にかかるトイレ装置１０は、パネル１３０を備える。パネル１３０は、衛生洗浄装置１２０の後側に着脱可能に配置され、例えば床３２０などに固定されている。あるいは、パネル１３０は、例えば壁３１０の内部に設けられた支持体１４０や構造体３３０などに固定されていてもよい。あるいは、壁３１０が比較的高い強度を有する場合には、パネル１３０は、例えば壁３１０に固定されていてもよい。パネル１３０については、図示しない固定部におけるロックを解除することで取り外すことができる。
【００２５】
図２は、本実施形態にかかるトイレ装置を表す模式図である。  
図３は、本実施形態のパネルの近傍を表す模式的斜視図である。  
図２（ａ）〜図２（ｃ）は、説明の便宜上、パネル１３０が取り外された状態を表している。  
図２（ａ）は、本実施形態にかかるトイレ装置を前方から眺めた模式的平面図である。図２（ｂ）は、図２（ａ）に表した領域Ａ１における模式的拡大図である。図２（ｃ）は、本実施形態のパネルの開口部を通して壁の内部を眺めた模式的斜視図である。  
図３（ａ）は、本実施形態のパネルの近傍を右側方から左側方へ向かって眺めた模式的斜視図である。図３（ｂ）は、本実施形態のケーシングの背面部を表す模式的斜視図である。  
図２（ｃ）および図３（ｂ）は、説明の便宜上、衛生洗浄装置１２０を前方へ移動させた状態を表している。
【００２６】
壁３１０は、開口部３１１を有する。開口部３１１は、壁３１０を貫通している。そのため、例えば使用者などは、パネル１３０を取り外すと、開口部３１１を通して壁３１０の内部を目視することができる。
【００２７】
衛生洗浄装置１２０のケーシング１２１の内部には、便座１２３に座った使用者の「おしり」などの洗浄を実現する身体洗浄機能部などが内蔵されている。また、例えばケーシング１２１には、使用者が便座１２３に座ったことを検知する図示しない着座検知センサが設けられている。着座検知センサが便座１２３に座った使用者を検知している場合において、使用者が例えばリモコンなどの操作部を操作すると、図示しない洗浄ノズルを便器１１０のボウル内に進出させることができる。
【００２８】
洗浄ノズルの先端部には、図示しない吐水部が設けられている。そして、洗浄ノズルは、その先端部に設けられた吐水部から水を噴射して、便座１２３に座った使用者の「おしり」などを洗浄することができる。なお、本願明細書において「水」という場合には、冷水のみならず、加温されたお湯も含むものとする。
【００２９】
そこで、図３（ａ）および図３（ｂ）に表したように、衛生洗浄装置１２０は、給水管１５１と、電源コード１６１と、を有する。給水管１５１は、例えば水道などの給水源から供給される水を衛生洗浄装置１２０へ導く。電源コード１６１は、例えば商用電源などの電源から供給される電気を衛生洗浄装置１２０へ導く。
【００３０】
図３（ｂ）に表したように、給水管１５１のうちの一部は、ケーシング１２１の背面部１２９を通してケーシング１２１の内部に配置されている。また、図３（ａ）に表したように、給水管１５１のうちの他の一部は、パネル１３０に設けられた切り欠き１３１を通して壁３１０の内部に配置されている。電源コード１６１のうちの一部は、ケーシング１２１の背面部１２９を通してケーシング１２１の内部に配置されている。また、電源コード１６１のうちの他の一部は、パネル１３０に設けられた切り欠き１３１を通して壁３１０の内部に配置されている。なお、図３（ａ）に表したように、パネル１３０の表面は、壁３１０の表面と略同一面となる。
【００３１】
図２（ａ）〜図２（ｃ）に表したように、衛生洗浄装置１２０は、止水栓１５３と、コンセントプラグ１６３と、を有する。止水栓１５３は、給水管１５１の一端部に設けられている。止水栓１５３は、手動により開閉可能とされ、例えば、衛生洗浄装置１２０の取付・取り外しや保守点検の際などに水路を随時遮断することができる。例えば、止水栓１５３は、第１の取付部材３５３を介して構造体３３０に固定される。但し、止水栓１５３の設置形態は、これだけに限定されるわけではない。コンセントプラグ１６３は、電源コード１６１の一端部に設けられている。コンセントプラグ１６３は、コンセント３５１に接続される。例えば、コンセント３５１は、第２の取付部材３５５を介して構造体３３０に固定される。但し、コンセント３５１の設置形態は、これだけに限定されるわけではない。コンセント３５１は、電源供給部としての機能を有する。
【００３２】
ここで、便器１１０および衛生洗浄装置１２０を壁３１０に投影した投影領域の内側にコンセント３５１が設けられていると、例えば使用者が省エネルギー化のために衛生洗浄装置１２０のコンセントプラグ１６３をコンセント３５１から抜くときの作業性が悪いことがある。あるいは、例えば作業者が衛生洗浄装置１２０のメンテナンスのために、コンセントプラグ１６３をコンセント３５１から抜いたり、あるいは止水栓１５３を操作するときの作業性が悪いことがある。
【００３３】
これに対して、図２（ａ）および図２（ｂ）に表したように、本実施形態にかかるトイレ装置１０では、コンセント３５１は、便器１１０および衛生洗浄装置１２０を壁３１０に投影した投影領域の外側に設けられている。そのため、コンセント３５１に挿入されるコンセントプラグ１６３は、便器１１０および衛生洗浄装置１２０を壁３１０に投影した投影領域の外側に設けられる。
【００３４】
本実施形態によれば、例えば使用者などが衛生洗浄装置１２０への電力の供給を止めたい場合や、例えば作業者がメンテナンス作業を行う場合に、便器１１０および衛生洗浄装置１２０が作業の邪魔となることを抑えることができる。そのため、使用者および作業者などは、円滑に作業を行うことができる。つまり、本実施形態にかかるトイレ装置１０は、より高い作業性を実現することができる。また、給水管１５１および電源コード１６１が外部からほとんど見えないため、より優れた意匠性を有するトイレ装置１０を提供することができる。
【００３５】
図２（ａ）および図２（ｂ）に表したように、コンセント３５１は、便器１１０および衛生洗浄装置１２０を壁３１０に投影した投影領域よりも上方に設けられている。そのため、コンセント３５１に挿入されるコンセントプラグ１６３は、便器１１０および衛生洗浄装置１２０を壁３１０に投影した投影領域よりも上方に設けられる。
【００３６】
これによれば、使用者などは、立ったままで作業を行いやすい。また、物がパネル１３０の前に置かれることはほとんどないため、使用者などは、円滑に作業を行うことができる。
【００３７】
図２（ｂ）に表したように、コンセント３５１は、止水栓１５３よりも上方に設けられている。具体的には、コンセント３５１の中心は、止水栓１５３の中心よりも上方に位置している。そのため、コンセントプラグ１６３は、止水栓１５３よりも上方に設けられる。具体的には、コンセントプラグ１６３の中心は、止水栓１５３の中心よりも上方に位置する。
【００３８】
これによれば、例えば止水栓１５３の不具合等により漏水が発生しても、漏水した水がコンセントプラグ１６３にかかることはほとんどない。そのため、電気系統がショートすることを抑えることができる。
【００３９】
図２（ａ）および図２（ｂ）に表したように、本実施形態にかかるトイレ装置１０では、止水栓１５３は、便器１１０および衛生洗浄装置１２０を壁３１０に投影した投影領域の外側に設けられている。
【００４０】
これによれば、例えば作業者がメンテナンス作業を行う場合において、衛生洗浄装置１２０への給水を止める場合に、便器１１０および衛生洗浄装置１２０が作業の邪魔となることを抑えることができる。そのため、作業者などは、円滑に作業を行うことができる。
【００４１】
図２（ａ）および図２（ｂ）に表したように、止水栓１５３は、便器１１０および衛生洗浄装置１２０を壁３１０に投影した投影領域よりも上方に設けられている。これによれば、使用者などは、立ったままで作業を行いやすい。また、物がパネル１３０の前に置かれることはほとんどないため、使用者などは、円滑に作業を行うことができる。
【００４２】
図４は、本実施形態の壁の内部を表す模式図である。  
図４（ａ）は、本実施形態の壁３１０の内部を後側の上方から眺めた模式的斜視図である。図４（ｂ）は、本実施形態の壁３１０の内部を後側の斜め上方から眺めた模式的斜視図である。
【００４３】
本実施形態の便器１１０は、供給水路１１３と、排出水路１１５と、を有する。供給水路１１３および排出水路１１５は、便器１１０の後部（背面部）にそれぞれ設けられている。本実施形態の壁３１０の内部には、タンク１７１と、供給配管１７３と、排水配管１７５と、が設けられている。
【００４４】
タンク１７１は、支持体１４０に固定されている。タンク１７１は、水を貯留し、貯留した水を便器１１０のボウル面に供給する。  
供給配管１７３は、一端部においてタンク１７１と接続され、他端部において便器１１０の供給水路１１３と接続されている。供給配管１７３は、タンク１７１から供給された水を便器１１０の供給水路１１３へ導く。  
供給水路１１３は、供給配管１７３を介してタンク１７１から供給された水を便器１１０のボウル面へ導く。
【００４５】
排出水路１１５は、便器１１０のボウル面から排出させる水を排水配管１７５へ導く。  排水配管１７５は、一端部において便器１１０の排出水路１１５と接続され、他端部において図示しない下水管に接続されている。排水配管１７５は、排出水路１１５を介して便器１１０のボウル面から排出された水を下水管へ導く。
【００４６】
図４（ａ）および図４（ｂ）に表した例では、止水栓１５３は、第１の取付部材３５３を介して構造体３３０に固定されている。コンセント３５１は、第２の取付部材３５５を介して構造体３３０に固定されている。
【００４７】
図５は、本実施形態の便器の取付構造を説明する模式図である。  
図５（ａ）は、便器の取付部分の断面を表す模式的断面図である。図５（ｂ）は、図５（ａ）に表した領域Ａ２における模式的拡大図である。図５（ｃ）は、本実施形態の壁３１０の内部を側方から眺めた模式的平面図である。
【００４８】
図１に関して前述したように、便器１１０は、壁３１０の内部に設けられた支持体１４０に固定されている。図５（ａ）および図５（ｂ）に表したように、支持体１４０は、ボルト１４１を有する。ボルト１４１は、壁３１０を貫通し便器１１０へ向かって延在している。便器１１０の内部には、固定金具３６１が設けられている。例えば作業者などは、便器１１０の下から便器１１０の内部へ工具３６３を挿入し、固定金具３６１をボルト１４１と締結させる。これにより、便器１１０は、支持体１４０に固定される。なお、図５（ａ）および図５（ｂ）を参照しつつ説明した便器１１０の取付構造は、一例であり、これだけに限定されるわけではない。
【００４９】
図５（ｃ）に表したように、便器１１０が支持体１４０に固定された後に、衛生洗浄装置１２０が便器１１０の上面１１１に設置される。続いて、コンセントプラグ１６３がコンセント３５１に挿入される。また、止水栓１５３が例えば構造体３３０などに固定される。図５に表したように、コンセントプラグ１６３は、止水栓１５３よりも上方に設けられる。コンセントプラグ１６３の中心は、止水栓１５３の中心よりも上方に位置する。
【００５０】
図６は、本実施形態のパネルの近傍を眺めた模式的斜視図である。  
図７は、本実施形態のパネルの切り欠きを表す模式的斜視図である。  
図６（ａ）は、本実施形態のパネルの近傍を斜め上方から眺めた模式的斜視図である。図６（ａ）は、説明の便宜上、衛生洗浄装置１２０を前方へ移動させた状態を表している。図６（ｂ）は、本実施形態のパネルの近傍を右側方から左側方へ向かって眺めた模式的斜視図である。  
図７では、説明の便宜上、衛生洗浄装置１２０を省略している。
【００５１】
図６（ａ）および図６（ｂ）に表したように、給水管１５１のうちの一部は、パネル１３０に設けられた切り欠き１３１を通して壁３１０の内部に配置されている。電源コード１６１のうちの一部は、パネル１３０に設けられた切り欠き１３１を通して壁３１０の内部に配置されている。
【００５２】
図７に表したように、切り欠き１３１は、トイレ装置１０を前方からみたときにパネル１３０の左下のコーナ部に設けられている。但し、切り欠き１３１の設置位置は、これだけに限定されるわけではない。
【００５３】
図６（ｂ）に表したように、給水管１５１および電源コード１６１は、外部からほとんど見えない。そのため、より優れた意匠性を有するトイレ装置１０を提供することができる。
【００５４】
図８は、本実施形態の支持体の具体例を例示する模式的平面図である。  
図８（ａ）は、本具体例の支持体を前方から眺めたときの模式的平面図である。図８（ｂ）は、本具体例の支持体が壁３１０の内部に設置された状態を表す模式的平面図である。
【００５５】
図８（ａ）に表したように、本具体例の支持体１４０は、タンク１７１を支持することができる。支持体１４０は、第１の取付部材３５３を介して止水栓１５３を支持することができる。支持体１４０は、第２の取付部材３５５を介してコンセント３５１を支持することができる。支持体１４０には、便器１１０を取り付けるためのボルト１４１が設けられている。図５（ａ）および図５（ｂ）に関して前述したように、便器１１０は、支持体１４０に固定される。
【００５６】
図８（ｂ）に表したように、壁３１０は、開口部３１１と、ボルト孔３１３と、供給配管孔３１５と、排水配管孔３１７と、を有する。ボルト孔３１３は、支持体１４０に設けられたボルト１４１を通すことができる。供給配管孔３１５は、供給配管１７３を通すことができる。つまり、供給配管１７３は、壁３１０の供給配管孔３１５を通してタンク１７１と便器１１０とを接続している。排水配管孔３１７は、排水配管１７５を通すことができる。つまり、排水配管１７５は、壁３１０の排水配管孔３１７を通して便器１１０と図示しない下水管とを接続している。
【００５７】
本具体例の支持体１４０は、コンセント３５１を固定することができる。そのため、壁３１０の内部にコンセント３５１を保持する部材を設ける必要がない。そのため、大掛かりな作業を必要とせずに、本実施形態にかかるトイレ装置１０を設置することができる。
【００５８】
図９は、本実施形態のコンセントプラグの他の配置形態を例示する模式的斜視図である。  
図１０は、本配置形態における支持体の具体例を例示する模式的平面図である。  
図９は、説明の便宜上、パネル１３０が取り外された状態を表している。また、図９は、説明の便宜上、衛生洗浄装置１２０が取り付けられる前の状態を表している。  
図１０（ａ）は、本具体例の支持体を前方から眺めたときの模式的平面図である。図１０（ｂ）は、本具体例の支持体が壁３１０の内部に設置された状態を表す模式的平面図である。
【００５９】
図９に表したように、コンセントプラグ１６３の他の配置形態では、コンセント３５１は、便器１１０および衛生洗浄装置１２０を壁３１０に投影した投影領域よりも側方（図９では右側方）に設けられている。そのため、コンセント３５１に挿入されるコンセントプラグ１６３は、便器１１０および衛生洗浄装置１２０を壁３１０に投影した投影領域よりも側方（図９では右側方）に設けられている。
【００６０】
図１０（ａ）および図１０（ｂ）に表したように、コンセント３５１を支持する第２の取付部材３５５は、開口部３１１よりも側方に位置する支持体１４０の部分に固定されている。また、止水栓１５３を支持する第１の取付部材３５３は、開口部３１１よりも側方に位置する支持体１４０の部分に固定されている。
【００６１】
コンセントプラグ１６３の他の配置形態によれば、供給水路１１３や排出水路１１５や給水管１５１の不具合により漏水が発生したとしても、コンセント３５１が便器１１０および衛生洗浄装置１２０を壁３１０に投影した投影領域よりも側方に設けられているので、漏水した水がコンセントプラグ１６３にかかる可能性が低くなる。そのため、電気系統がショートすることを抑えることができる。
【００６２】
図１１および図１２は、本実施形態のコンセントプラグおよび止水栓の操作方法の一例を例示する模式的斜視図である。  
図１１（ａ）および図１１（ｂ）に表したように、使用者等が例えばパネル１３０の右上のコーナ部を押すと、パネル１３０の上部が前方へ移動する。つまり、例えばマグネットラッチなどと呼ばれる部品３１２が壁３１０の開口部３１１の内周部に設けられている。図１１（ｃ）に表したように、使用者等は、パネル１３０の上部を持ち、斜め上へ引き出す。これにより、パネル１３０を取り外すことができる。
【００６３】
図１２（ａ）に表したように、使用者等は、開口部３１１を通して壁３１０の内部に手を入れ、止水栓１５３を閉める。これにより、水路を遮断することができる。図１２（ｂ）に表したように、使用者等は、壁３１０の内部において手を移動させ、コンセントプラグ１６３を把持する。続いて、図１２（ｃ）に表したように、使用者等は、コンセントプラグ１６３をコンセント３５１から抜く。これにより、電力の供給を遮断することができる。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器１１０および衛生洗浄装置１２０などが備える各要素の形状、寸法、材質、配置などや止水栓１５３、コンセントプラグ１６３およびコンセント３５１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０ トイレ装置、  １１０ 便器、  １１１ 上面、  １１３ 供給水路、  １１５ 排出水路、  １２０ 衛生洗浄装置、  １２１ ケーシング、  １２３ 便座、  １２５ 便蓋、  １２９ 背面部、  １３０ パネル、  １３１ 切り欠き、  １４０ 支持体、  １４１ ボルト、  １５１ 給水管、  １５３ 止水栓、  １６１ 電源コード、  １６３ コンセントプラグ、  １７１ タンク、  １７３ 供給配管、  １７５ 排水配管、  ３１０ 壁、  ３１１ 開口部、  ３１２ 部品、  ３１３ ボルト孔、  ３１５ 供給配管孔、  ３１７ 排水配管孔、  ３２０ 床、  ３３０ 構造体、  ３５１ コンセント、  ３５３ 第１の取付部材、  ３５５ 第２の取付部材、  ３６１ 固定金具、  ３６３ 工具
【図１】
2015031140.tif 000003
【図２】
2015031140.tif 000004
【図３】
2015031140.tif 000005
【図４】
2015031140.tif 000006
【図５】
2015031140.tif 000007
【図６】
2015031140.tif 000008
【図７】
2015031140.tif 000009
【図８】
2015031140.tif 000010
【図９】
2015031140.tif 000011
【図１０】
2015031140.tif 000012
【図１１】
2015031140.tif 000013
【図１２】
2015031140.tif 000014